(57)【要約】  【課題】  安全性の問題は、最近においては、ボ−ルペンなどのキャップ以外のシャ−プペンシルにも目が向けられるようになってきた。特に、シャ−プペンシルの後方に着脱自在に取り付けられている芯タンクのキャップに対する安全性に着目され、それ故に、前述したノックカバ−や栓蓋（キャップ）の改良が必要となってきた。  【解決手段】  軸筒の内部に芯の繰り出しを行う芯繰り出し機構と、その芯繰り出し機構の後方に芯タンクを有し、また、その芯タンクの後方にはキャップを着脱自在に配してなるシャ−プペンシルであって、前記キャップの天面に空気流通孔を形成するとともに、その空気流通孔の下方には、前記芯タンクの上端部が位置してなるシャ−プペンシルの芯タンクのキャップ。【選択図】  図２
2006150987.tif 000002
【特許請求の範囲】
【請求項１】
軸筒の内部に芯の繰り出しを行う芯繰り出し機構と、その芯繰り出し機構の後方に芯タンクを有し、また、その芯タンクの後方にはキャップを着脱自在に配してなるシャ−プペンシルであって、前記キャップの天面に空気流通孔を形成するとともに、その空気流通孔の下方には、前記芯タンクの上端部が位置してなるシャ−プペンシルの芯タンクのキャップ。
【発明の詳細な説明】
【技術分野】
【０００１】
本発明は、軸筒の内部に芯の繰り出しを行う芯繰り出し機構と、その芯繰り出し機構の後方に芯タンクを有し、また、その芯タンクの後方にはキャップを着脱自在に配してなるシャ−プペンシルであって、特に、キャップの改良に関するものである。
【背景技術】
【０００２】
芯タンクの後方にキャップを着脱自在に取り付けたシャ−プペンシルは種々ある。その代表例として、公報や特公昭５５−２２２７７号公報がある。
前記実公昭６１−３０８７９号公報に記載の考案は、軸筒の後端に係合されているノックカバ−を軸筒の長手方向に押圧せしめることにより、芯を芯ケ−スより繰り出すものであり、特公昭５５−２２２７７号公報の発明は、杆を軸筒の径方向に押圧することにより、芯を換芯筒より繰り出すものである。
そして、各々の公報に記載の芯ケ−スや換芯筒の後端には、その芯ケ−スや換芯筒に芯を補充するための、また、補充した芯が抜け出ないようにしておくためのノックカバ−や栓蓋が着脱自在に取り付けられている。
【特許文献１】実公昭６１−３０８７９号公報。
【発明の開示】
【発明が解決しようとする課題】
【０００３】
近年においては、子どもに対する安全性が叫ばれるようになり、筆記具においても関心が寄せられるようになってきた。ボ−ルペンやマ−キングペンなどに取り付けられているキャップなどに安全性を施したものが、その代表的な例である。そのキャップには、長手方向に空気流通路が形成されており、子どもが、万一、飲み込み、咽につかえた場合であっても、ある程度、空気の流通（呼吸）が行われるようになっている。
しかし、このキャップの安全性の問題は、ボ−ルペンなどのキャップばかりではなく、シャ−プペンシルにも目が向けられるようになってきた。特に、シャ−プペンシルの後方に着脱自在に取り付けられている芯タンクのキャップに対する安全性に着目され、それ故に、前述した従来技術などにおけるノックカバ−や栓蓋（キャップ）の改良が必要となってきた。
ちなみに、従来技術のノックカバ−や栓蓋（キャップ）には、空気が流通するような孔や溝が形成されていない。ここで、単に、従来技術のキャップに空気流通路を形成することも考えられる。しかし、空気流通路を芯より大きく形成してしまうと、芯がその空気流通路から通過し落下してしまう、という問題が発生する。
【課題を解決するための手段】
【０００４】
本発明は、上記問題点に鑑みてなされたものであり、軸筒の内部に芯の繰り出しを行う芯繰り出し機構と、その芯繰り出し機構の後方に芯タンクを有し、また、その芯タンクの後方にはキャップを着脱自在に配してなるシャ−プペンシルであって、前記キャップの天面に空気流通孔を形成するとともに、その空気流通孔の下方には、前記芯タンクの上端部が位置してなるシャ−プペンシルの芯タンクのキャップを要旨とするものである。
【発明の効果】
【０００５】
本発明は、軸筒の内部に芯の繰り出しを行う芯繰り出し機構と、その芯繰り出し機構の後方に芯タンクを有し、また、その芯タンクの後方にはキャップを着脱自在に配してなるシャ−プペンシルであって、前記キャップの天面に空気流通孔を形成するとともに、その空気流通孔の下方には、前記芯タンクの上端部が位置してなるので、芯が芯タンクから抜け出さずして、空気の流通性を確保することができる。
【発明を実施するための最良の形態】
【０００６】
第１例を図１〜図４に示し説明する。図１はシャ−プペンシル全体を表す縦断面図である。軸本体１の内部には、芯を貯蔵する芯タンク２が摺動自在に配置されている。また、その芯タンク２の前端（図１中下方）には、チャックリング３により開閉するチャック体４が固定されている。勿論、そのチャック体４は芯を把持し、又、繰り出すものでもある。
前記軸本体１の前端には、ゴム材質よりなる芯戻り止め部材５を内部に有する先部材６が螺着などにより固定されており、その先部材６の先端には、ステンレス材質などよりなる芯保護管７が圧入・固定されている。
符号８は、芯タンク２、並びに、チャック体４を後方（図１中上方）に付勢するチャックスプリングである。以上の構成は、一般的なシャ−プペンシルと同様である。
【０００７】
前記芯タンク２の後方部は、軸本体１の後端より突出した状態で配置されており、その突出した部分（突出部９）には、本願特徴点である芯タンク２のキャップ１０が圧入状態で着脱自在に取り付けられている。
そのキャップ１０の天面１１の外周近傍で、前記芯タンク２の上端円周部１２の上方に位置する箇所には、扇形状の空気流通孔１３が形成されている。その空気流通孔１３は、略芯タンク２の上端円周部１２の厚さか、若干小さく形成されており、キャップ１０を芯タンク２に圧入したときには、前記空気流通孔１３は芯タンク２の上端円周部１２（厚さ）によって隠れるようになっている（図１、図２参照）。こうして、空気流通孔１３からの芯の抜け出しを防止している。
【０００８】
また、前記キャップ１０の天面１１には、使用する芯の直径よりも大きな幅を有する、スリット状の空気流通孔１４が形成されている。また、前記天面１１の内側からは、前記空気流通孔１４の形状を維持しつつ、内側がフラットな弾性変形可能な突部１５、１６が垂れ下がるように形成されている。一方、その突部１５、１６の外側は、円弧状をなしており、その外形は、下方に従って順次縮径しており、具体的には、上方から順に、前記芯タンク２の突出部９の内周直径よりも大きく、中間部にては略同一であり、下方においては小さく形成されている。即ち、図１に示すように、キャップ１０を芯タンク２の突出部９に圧入した際には、突出部９の内周面によって、前記突部１５、１６が弾性変形して狭められるというものである。そして、その狭められた状態における突部１５と、突部１６との隙間１７は使用する芯Ｌよりも狭くなっている。つまり、キャップ１０を芯タンク２の突出部９に圧入しているときは、芯Ｌは、芯タンク２より抜け出ないものとなっている。前記天面１１の扇形状の空気流通孔１３からは勿論、この空気流通孔１４からも空気を流入させることができ、更なる空気量の確保ができる。
ちなみに、キャップ１０を芯タンク２より外したときには、前記突部１５、１６は弾性復帰し、使用する芯Ｌの外形よりも大きな隙間となる（図４参照）。
【０００９】
次に、作用について説明する。子どもが誤ってキャップ１０を飲み込んでしまっても、空気流通孔１３からある程度の空気が流入する。また、キャップ１０を芯タンク２に圧入しているときには、芯タンク２の上端円周部１２（厚み）が空気流通孔１３を隠すため、芯タンク２から芯が抜け出さない。
尚、前記キャップは、その内周面が芯タンクの外周面に、また、突部の外周面が芯タンクの内周面に各々圧入されているため、つまり、キャップは、そのキャップの内周面と突部の外周面とで芯タンクを挾み込んでいるので、容易には芯タンクから脱落しないようになっている。
【００１０】
図５に、変形例を示す。前記例においては、空気の流通を充分なものとなすために、空気流通孔１４をも設けたが、本例においては、その空気流通孔１４が形成されていない。キャップの形状を簡素化することによって、成形する際の金型の構造を簡素化し、もって、その製作費用を下げることによって、製品自体の価格を下げた例である。しかし、空気の流通性を前記例と同様に向上させるために、図６に示すように空気流通孔１３を前記芯タンク２の上端円周部１２（厚さ）と同様な大きさ（幅）としてもよい。
【図面の簡単な説明】
【００１１】
【図１】シャ−プペンシル全体を示す縦断面図。
【図２】図１の要部拡大図。
【図３】図２のＡ矢視図。
【図４】キャップが芯タンクから外れる過程を示す要部縦断面図。
【図５】変形例を示す要部縦断面図。
【図６】変形例を示す要部縦断面図。
【符号の説明】
【００１２】
１      軸本体
２      芯タンク
３      チャックリング
４      チャック体
５      芯戻り止め部材
６      先部材
７      芯保護管
８      チャックスプリング
９      突出部
１０    キャップ
１１    天面
１２    上端円周部
１３    空気流通孔
１４    空気流通孔
１５    突部
１６    突部
１７    隙間
Ｌ      芯
【図１】
2006150987.tif 000003
【図２】
2006150987.tif 000004
【図３】
2006150987.tif 000005
【図４】
2006150987.tif 000006
【図５】
2006150987.tif 000007
【図６】
2006150987.tif 000008